(57)【特許請求の範囲】
【請求項１】
下部本体、該下部本体に組み立てられる蓋及び該蓋を貫通して前記下部本体に組み立てられるハンドルよりなり、前記下部本体の横方向の一方の先端に第１の内部挟み部材と第１の外部挟み部材とが組み立てられ、他方の先端に第２の内部挟み部材と第２の外部挟み部材とが組み立てられ、前記第１の内部挟み部材及び前記第１の外部挟み部材の間と、前記第２の内部挟み部材及び前記第２の外部挟み部材の間とに雑巾が挟まれ、また挟まれた雑巾が分離可能である綿布雑巾掃除機において、前記下部本体に回転自由に固定される中央軸、それぞれが前記中央軸の各先端に固定された第１、第２の中央軸ギア、それぞれが各中央軸ギアの回転によって往復運動をする第１、第２の水平ギア、それぞれが各水平ギアの往復運動によって回転する第１、第２の中間ギア、それぞれが各中間ギアの回転によって前記第１、第２の水平ギアと反対方向に往復運動をする第３、第４の水平ギア、該第３、第４の水平ギアに組み立てられた前記第１の外部挟み部材、前記第１、第２の水平ギアに組み立てられた前記第２の外部挟み部材、それぞれが第１ないし第４のスプリングのそれぞれにより弾性力を受ける第１ないし第４の支持部材、前記第１、第２の支持部材に組み立てられた前記第１の内部挟み部材、前記第３、第４の支持部材に組み立てられた前記第２の内部挟み部材、および前記中央軸が回転するように弾性力を附与する第１のロープと第５のスプリングよりなり、前記蓋の開閉につれて前記第１、第２の外部挟み部材が開閉されるように第５、第６の支持部材の各下部が前記下部本体に組み立てられ、第１、第２のスライド部材のそれぞれがその下部において前記第１、第２の水平ギアのそれぞれと組み立てられ、その上部において前記蓋と組み立てられ、その中央部において前記第５、第６の支持部材の各上部と結合されることを特徴とする、綿布雑巾掃除機。
【請求項２】
前記第１、第２の水平ギアが前記第２の外部挟み部材と結合される際に前記第２の外部挟み部材が下部側に弾性力を受けるように第６、第７のスプリングが挿入され、前記第３、第４の水平ギアが前記第１の外部挟み部材と結合される際に前記第１の外部挟み部材が下部側に弾性力を受けるように第８、第９のスプリングが挿入されることを特徴とする、請求項１に記載の綿布雑巾掃除機。
【請求項３】
前記第１、第２の支持部材が前記第１の内部挟み部材と結合される際に前記第１の内部挟み部材が下部側に弾性力を受けるように第１０、第１１のスプリングが挿入され、前記第３、第４の支持部材が前記第２の内部挟み部材と結合される際に前記第２の内部挟み部材が下部側に弾性力を受けるように第１２、第１３のスプリングが挿入されることを特徴とする、請求項１に記載の綿布雑巾掃除機。
【請求項４】
前記第１のロープと前記第５のスプリングとが設けられることを特徴とする、請求項１に記載の綿布雑巾掃除機。
【請求項５】
前記蓋を前記下部本体に締結するための掛け装置が前記下部本体に設けられ、それに相応する締結部材が前記蓋の下部側に設けられることを特徴とする、請求項１に記載の綿布雑巾掃除機。
【発明の詳細な説明】
【０００１】
【発明の属する分野】
本発明は綿布雑巾掃除機に関する。より具体的には、本発明は家庭の居間、事務室などの床をウェットモップまたは不織布雑巾で掃除するための掃除機に関するもので、雑巾をワンタッチ方式で容易に交替することができる綿布雑巾掃除機に関する。
【０００２】
【従来の技術】
一般家庭の居間やカーペットが敷かれていない事務室などの床はいろんな方法で掃除されている。一般家庭ではウェットモップを用い、うつぶせて居間などの床をふいている。このようなウェットモップによる掃除方法は最も原始的な方法で多くの肉体労働を必要としている。またカーペットが敷かれていない事務室などの床は雑巾が長柄に取り付けられている長柄付き雑巾を用いている。しかしこの長柄付き雑巾は雑巾が長柄に固定されているため、雑巾をきれいに洗濯して使用し難いのが実情である。したがって、長柄付き雑巾を用いて床をふく場合にはきれいな状態を維持し難いのが実情である。タオルなどの綿布をウェットモップ掃除機に装着して用いるウェットモップ掃除機はウェットモップをはずして洗濯することができるが、ウェットモップを掃除機に装着して脱着するに不便さがある。床をふくためのまた他の方法は真空掃除機を用いるのである。真空掃除機は本来カーペットが敷かれている床を掃除するためのもので、カーペットが敷かれていない床をきれいにふくことは容易でない実情である。
【０００３】
特に韓国や日本のように室内で靴を脱いで生活をする東洋文化圏ではきれいに洗濯されたウェットモップで室内の床をきれいにふくべき必要性がある。このような観点で本発明者はきれいに洗濯された雑巾を容易に脱着させて室内の床を便利にふくことができるウェットモップ掃除機を開発し、大韓民国特許第１１０８１９号（１９９４．１０．７出願）で特許を受けたことがある。この特許発明は内部構造が複雑で蓋と下部本体間にたくさんの空間が必要であるため、製品の厚さが厚くなる。また蓋を開けるために圧縮スプリングを用いることにより、時間が経ることにつれて本体と蓋の中央部分がふくれる現象が現われ、外部挟み部材の水平運動のために外部挟み部材に連結される支持部材が全てスライド部材を通じて蓋に連結するため、掃除機の縦の幅を減らすことに限界がある。
【０００４】
本発明者は前記特許発明の短所を補完して内部構造をより簡単にし、製品の厚さをより薄くすることができる構造を有する掃除機を開発するに至った。不織布を用いた床掃除は床のほこりを拭く簡単な掃除方法である。本綿布雑巾掃除機は、綿布ウェットモップと不織布を綿布雑巾掃除機に容易に脱着できるようにして床掃除を容易にするものである。
【０００５】
【発明が解決しようとする課題】
本発明の目的は、蓋を開けるため本体と蓋との間に圧縮スプリングを用いる方式ではなく、内部の回転する中央軸にスプリングを連結して中央軸の回転力を蓋の上下運動のための弾性力に転換することにある。
【０００６】
本発明の他の目的は、綿布雑巾掃除機の縦の幅を減らすため蓋を外部挟み部材に連結されている一方支持部材のみに連結して蓋の上下運動を支持部材の水平運動に転換させ、反対方向の外部挟み部材に連結されている支持部材の水平運動のためにはギアを用いることにある。
【０００７】
本発明の他の目的は、蓋を閉じる際に蓋の中央部分ではなく横に偏る部分が押されても外部挟み部材が平行につぼまるようにすることにある。
【０００８】
本発明の他の目的は、内部構造をより簡単にすることにより、製造原価を節減することができる綿布雑巾掃除機を提供することにある。
【０００９】
本発明の他の目的は、内部構造を簡単にすることにより、掃除機の厚さを減らすことができる綿布雑巾掃除機を提供することにある。
【００１０】
【課題を解決するための手段】
本発明の前記及びその他の目的は、以下において詳細に説明される本発明により達成することができる。
【００１１】
本発明の綿布雑巾掃除機は、必要なすべての部品が組み立てられる下部本体、該下部本体に組み立てられる蓋、及び該蓋を貫通して前記下部本体に組み立てられるハンドルよりなり、前記下部本体の横方向の一方の先端に第１の内部挟み部材と第１の外部挟み部材とが組み立てられ、他方の先端に第２の内部挟み部材と第２の外部挟み部材とが組み立てられ、前記第１の内部挟み部材及び前記第１の外部挟み部材の間と、前記第２の内部挟み部材及び前記第２の外部挟み部材の間とに雑巾が挟まれ、また挟まれた雑巾が分離できる綿布雑巾掃除機であって、前記下部本体に回転自由に固定される中央軸、それぞれが前記中央軸の各先端に固定された第１、第２の中央軸ギア、それぞれが各中央軸ギアの回転によって往復運動をする第１、第２の水平ギア、それぞれが各水平ギアの往復運動によって回転する第１、第２の中間ギア、それぞれが各中間ギアの回転によって前記第１、第２の水平ギアと反対方向に往復運動をする第３、第４の水平ギア、該第３、第４の水平ギアに組み立てられた前記第１の外部挟み部材、前記第１、第２の水平ギアに組み立てられた前記第２の外部挟み部材、それぞれが第１ないし第４のスプリングのそれぞれにより弾性力を受ける第１ないし第４の支持部材、前記第１、第２の支持部材に組み立てられた前記第１の内部挟み部材、前記第３、第４の支持部材に組み立てられた前記第２の内部挟み部材、及び前記中央軸が回転するように弾性力を附与する第１のロープと第５のスプリングよりなることを特徴とする。
【００１２】
前記蓋の開閉につれて前記第１、第２の外部挟み部材が開閉されるように第５、第６の支持部材の各下部が前記下部本体に組み立てられ、第１、第２のスライド部材のそれぞれがその下部において前記第１、第２の水平ギアのそれぞれと組み立てられ、その上部において前記蓋と組み立てられ、その中央部において前記第５、第６の支持部材の各上部と結合される。
【００１３】
前記第１、第２の水平ギアが前記第２の外部挟み部材と結合される際に前記第２の外部挟み部材が下部側に弾性力を受けるように第６、第７のスプリングが挿入され、前記第３、第４の水平ギアが前記第１の外部挟み部材と結合される際に前記第１の外部挟み部材が下部側に弾性力を受けるように第８、第９のスプリングが挿入される。
【００１４】
前記第１、第２の支持部材が前記第１の内部挟み部材と結合される際に前記第１の内部挟み部材が下部側に弾性力を受けるように第１０、第１１のスプリングが挿入され、前記第３、第４の支持部材が前記第２の内部挟み部材と結合される際に前記第２の内部挟み部材が下部側に弾性力を受けるように第１２、第１３のスプリングが挿入される。
【００１５】
前記中央軸に、回転できるように弾性力を附与するため、前記第１のロープと前記第５のスプリングとが設けられ、また第２のロープと第１４のスプリングが設けられることもできる。
【００１６】
前記蓋を前記下部本体に締結するための掛け装置が前記下部本体に設けられ、それに相応する締結部材が前記蓋の下部側に設けられる。
【００１７】
【発明の実施の形態】
以下添付された図面を参考にして本発明の内容を下記で詳細に説明する。
【００１８】
本発明の綿布雑巾掃除機は、必要な全ての部品が組み立てられる下部本体１、該下部本体に組み立てられる蓋２及び該蓋を貫通して下部本体１に組み立てられるハンドル３よりなり、下部本体１の横方向の一方の先端に第１の内部挟み部材２２と第１の外部挟み部材１９とが組み立てられ、他方の先端に第２の内部挟み部材２６と第２の外部挟み部材２１とが組み立てられ、第１の内部挟み部材２２及び第１の外部挟み部材１９の間と、第２の内部挟み部材２６及び第２の外部挟み部材２１の間とに雑巾が挟まれ、また挟まれた雑巾を分離することができる。
【００１９】
図１は、本発明に係る綿布雑巾掃除機の概略的な斜視図で、第１の内部挟み部材２２及び第１の外部挟み部材１９の間と、第２の内部挟み部材２６及び第２の外部挟み部材２１の間とに雑巾（図示されない）が挟まれて蓋２が下部本体１に閉まった状態を示している。
【００２０】
図１に示すように、蓋２が下部本体１に閉まった状態で蓋２に触れると該蓋が開く。再び蓋２を押すと閉まる。このような装置は大韓民国特許第１１０８１９号だけでなく他の分野でも広く用いられている締結装置である。
【００２１】
図２は図１の掃除機において上部の蓋２が開いた状態を図示する概略的な斜視図である。蓋２が開くと第１、第２の内部挟み部材２２、２６と第１、第２の外部挟み部材１９、２１は外側に空き、その間に挟まれていた雑巾が分離される。部品の構造上、第１、第２の外部挟み部材１９、２１は第１、第２の内部挟み部材２２，２６よりより一層空き、それで雑巾がよく分離される。
【００２２】
本発明は内部構造をより簡単にすることにより製造原価を節減し、掃除機の縦の幅と厚さを減らすことができる長所がある。
【００２３】
図３は本発明に係る綿布雑巾掃除機の内部構造を図示した概略的な分解平面図である。下部本体１にはすべての部品が固定されたり組み立てられる。本発明において図面符号が２００番代であるのは他の部品らを固定または支持するため下部本体１に固定されて形成された部材を意味する。下部本体１には回転自由に中央軸１３が固定される。中央軸１３は中央軸固定部２０３により固定され、その各先端には第１、第２の中央軸ギア１４、１１４のそれぞれが一体に固定される。第１、第２の中央軸ギア１４、１１４が回転すると中央軸１３もともに回転する。第１、第２の中央軸ギア１４、１１４が回転すると往復運動をするように第１、第２の水平ギア１５、１１５が設けられる。第１、第２の水平ギア１５、１１５は第２の外部挟み部材２１に組み立てられ、第１、第２の水平ギア１５、１１５と第２の外部挟み部材２１はともに往復運動をする。それぞれが各水平ギア１５、１１５の往復運動によって回転する第１、第２の中間ギア１６、１１６が設けられ、それぞれが各中間ギア１６、１１６の回転によって第１、第２の水平ギア１５、１１５と反対方向に往復運動をする第３、第４の水平ギア１７、１１７が設けられる。第３、第４の水平ギア１７、１１７は第１の外部挟み部材１９に組み立てられ、第３、第４の水平ギア１７、１１７と第１の外部挟み部材１９とはともに往復運動をする。
【００２４】
蓋２を押して閉じる時、第１ないし第４の水平ギア１５、１１５、１７、１１７は同時に内側につぼまりながら第１、第２の外部挟み部材１９、２１も内側につぼまる。第１、第２の外部挟み部材１９、２１が内側につぼまる時、第１、第２の内部挟み部材２２、２６もつぼまる。この時第１ないし第４の支持部材２４、１２４、２８、１２８が内側につぼまる。第１ないし第４の支持部材２４、１２４、２８、１２８はガイド２０７、２０８により支持されて第１、第２の内部挟み部材２２、２６とともに運動する。
【００２５】
第１、第２の水平ギア１５、１１５が第２の外部挟み部材２１と結合される時、該第２の外部挟み部材が下部側に弾性力を受けるように第６、第７のスプリング２０、１２０が挿入され、第３、第４の水平ギア１７、１１７が第１の外部挟み部材１９と結合される時、該第１の外部挟み部材が下部側に弾性力を受けるように第８、第９のスプリング１８、１１８が挿入される。
【００２６】
第１、第２の支持部材２４、１２４が第１の内部挟み部材２２と結合される時、該第１の内部挟み部材が下部側に弾性力を受けるように第１０、第１１のスプリング２３、１２３が挿入され、第３、第４の支持部材２８、１２８が第２の内部挟み部材２６と結合される時、該第２の内部挟み部材が下部側に弾性力を受けるように第１２、第１３のスプリング２７、１２７が挿入される。
【００２７】
中央軸１３は蓋２が閉まった状態で該蓋が開くことができる程度の回転力を保有すべきだが、そのためには弾性力を附与する第１のロープ３２が中央軸１３に固定され、その第１のロープは第５のスプリング３３に連結され、その第５のスプリングは再び固定突起２０５に固定される。蓋２が閉まると中央軸１３は回転しながら第１のロープ３２がその回転軸に巻かれ、第５のスプリング３３は延びて中央軸１３が回転することができる弾性力を附与する。ロープとスプリングは一つまたは二つ設けられ、ロープとスプリングが二つ設けられるとき、第１のロープ３２と第５のスプリング３３に加え、第２のロープ１３２と第１４のスプリング１３３が設けられる。
【００２８】
図４は本発明に係る綿布雑巾掃除機が開いた状態を図示する概略的な平面図である。蓋２を押して閉まると、第１ないし第４の水平ギア１５、１１５、１７、１１７は第１、第２の外部挟み部材１９、２１とともに内側につぼまる。第１、第２の外部挟み部材１９、２１が内側につぼまる時、第１、第２の内部挟み部材２２、２６もつぼまる。この時第１ないし第４の支持部材２４、１２４、２８、１２８が内側につぼまる。中央軸１３は回転しながら第１のロープ３２がその回転軸に巻かれ、第５のスプリング３３は延びて中央軸１３が回転することができる弾性力を附与している。
【００２９】
ハンドル固定部１１は蓋２の穴３８を貫通してハンドル３に組み立てられる。下部本体１には締結溝３６が形成され、蓋２には締結突起３７が形成されて製品の組立後蓋２が開閉される時に軸としての役割をする。下部本体１に組み立てられる第１、第２のスライド部材３５、１３５は蓋２のスライド部材組立部３９に組み立てられる。第１、第２のスライド部材３５、１３５を蓋２のスライド部材組立部３９に組み立てることは本発明が属する技術分野の当業者により容易に実施できる。
【００３０】
図５は本発明に係る綿布雑巾掃除機が開いた状態の構造を図示した概略的な部分斜視図である。蓋２の開閉につれて第１、第２の外部挟み部材１９、２１が開閉されるように第５、第６の支持部材３４、１３４の各下部が下部本体１に組み立てられ、第１、第２のスライド部材３５、１３５のそれぞれはその下部において第１、第２の水平ギア１５、１１５のそれぞれと組み立てられ、その上部において蓋２と組み立てられ、その中央部において第５、第６の支持部材３４、１３４の各上部と結合される。第１、第２の水平ギア１５、１１５はそれぞれ第１、第２の中央軸ギア１４、１１４とかみ合い、ガイド２０２により支持されて往復運動をする。第１、第２の中間ギア１６、１１６は固定された位置で回転する。第３、第４の水平ギア１７、１１７はそれぞれ第１、第２の中間ギア１６、１１６の回転によって往復運動をし、水平ギアガイド２０４により支持される。第１、第２の内部挟み部材２２、２６は第１、第２の外部挟み部材１９、２１のつぼまる力によってともにつぼまる。この時第１、第２の内部挟み部材２２、２６は第１ないし第４のスプリング２５、１２５、２９、１２９により外側に伸びるような弾性力を受ける。即ち蓋２が開くと第１、第２の内部挟み部材２２、２６は第１ないし第４のスプリング２５、１２５、２９、１２９の弾性力によって外側に伸びる。第１ないし第４の支持部材２４、１２４、２８、１２８はガイド２０６と支持部材ガイド２０７、２０８により支持される。
【００３１】
図６は本発明に係る綿布雑巾掃除機が閉まった状態の構造を図示した概略的な部分斜視図である。第１、第２の外部挟み部材１９、２１と第１、第２の内部挟み部材２２、２６とが内側につぼまりながらその間に雑巾（図示されない）が挟まれることになる。中央軸１３が回転してその軸上に第１、第２のロープ３２、１３２が巻かれ、第５、第１４のスプリング３３、１３３が延びて中央軸１３に弾性力を附与する。
【００３２】
蓋２を下部本体１に締結するための掛け装置１２が下部本体１に設けられ、それに相応する締結部材（図示されない）が蓋２の下部側に設けられる。下部本体１に蓋２を締結するための掛け装置１２は本発明が属する技術分野の当業者により容易に実施できる。
【００３３】
本発明で用いられる雑巾としては、織物、不織布、ペーパー材質などがあり、床を掃除した後に汚くなった雑巾を分離して洗濯し、反復して用いることができる。
【００３４】
【発明の効果】
本発明は蓋を開けるため本体と前記蓋との間に圧縮スプリングを用いる方式ではなく、内部の回転する中央軸にスプリングを連結して前記中央軸の回転力を前記蓋の上下運動のための弾性力に転換させることにより、時間が経ても前記本体と前記蓋がふくれることがない発明の効果がある。本発明は綿布雑巾掃除機の前記蓋を、第２の外部挟み部材に連結されている第１、２の水平ギアのみに連結して前記蓋の上下運動を前記第１、２の水平ギアの水平運動に転換させ、反対方向に第１の外部挟み部材に連結されている第３、４の水平ギアの水平運動のためにはギアを用いることにより、綿布雑巾掃除機の縦の幅を減らすことができ、縦の幅を減らさない場合には前記蓋を開けた時、第１、２の外部挟み部材が本体の横方向で多く空くことにして雑巾を易く装着させる発明の効果を有する。本発明は前記蓋を閉じる時、該蓋の中央部分ではなく横に偏った部分が押されても前記蓋の左右側が前記中央軸に第５、６の支持部材と第１、２のスライド部材を通じて連結されているため、前記第１、２の外部挟み部材が平行につぼまる効果を有する。
【００３５】
本発明の単純な変形ないし変更はこの分野の通常の知識を有する者により容易に実施でき、このような変形や変更はすべて本発明の範囲に含まれる。
【図面の簡単な説明】
【図１】本発明に係る綿布雑巾掃除機の概略的な斜視図。
【図２】図１の掃除機において上部の蓋が開いた状態を図示する概略的な斜視図。
【図３】本発明に係る綿布雑巾掃除機の内部構造を図示する概略的な分解平面図。
【図４】本発明に係る綿布雑巾掃除機が開いた状態を図示する概略的な平面図。
【図５】本発明に係る綿布雑巾掃除機が開いた状態の構造を図示する概略的な部分斜視図。
【図６】本発明に係る綿布雑巾掃除機が閉まった状態の構造を図示する概略的な部分斜視図。
【符号の説明】
１  下部本体
２  蓋
３  ハンドル
１１  ハンドル固定部
１２  掛け装置
１３  中央軸
１４  第１の中央軸ギア
１５  第１の水平ギア
１６  第１の中間ギア
１７  第３の水平ギア
１８  第８のスプリング
１９  第１の外部挟み部材
２０  第６のスプリング
２１  第２の外部挟み部材
２２  第１の内部挟み部材
２３  第１０のスプリング
２４  第１の支持部材
２５  第１のスプリング
２６  第２の内部挟み部材
２７  第１２のスプリング
２８  第３の支持部材
２９  第３のスプリング
３０  突起
３１  鋸歯
３２  第１のロープ
３３  第５のスプリング
３４  第５の支持部材
３５  第１のスライド部材
３６  締結溝
３７  締結突起
３８  穴
３９  スライド部材組立部
１１４  第２の中央軸ギア
１１５  第２の水平ギア
１１６  第２の中間ギア
１１７  第４の水平ギア
１１８  第９のスプリング
１２０  第７のスプリング
１２３  第１１のスプリング
１２４  第２の支持部材
１２５  第２のスプリング
１２７  第１３のスプリング
１２８  第４の支持部材
１２９  第４のスプリング
１３２  第２のロープ
１３３  第１４のスプリング
１３４  第６の支持部材
１３５  第２のスライド部材
２０１  支持部材固定部
２０２  ガイド
２０３  中央軸固定部
２０４  水平ギアガイド
２０５  固定突起
２０６，２０７，２０８  ガイド
【図１】
0003759920.tif 000002
【図２】
0003759920.tif 000003
【図３】
0003759920.tif 000004
【図４】
0003759920.tif 000005
【図５】
0003759920.tif 000006
【図６】
0003759920.tif 000007